(57)【要約】【課題】ガイドレールの芯出し作業の手間の軽減化を図ることができるエレベータのガイドレール芯出し装置、及びエレベータのガイドレール芯出し方法を得る。【解決手段】エレベータのガイドレール芯出し装置１１は、昇降路１内に配置された一対のかごガイドレール２に独立して着脱可能に取り付けられた一対のレール取付具１２と、昇降路１内に配置された一対の釣合おもりガイドレール３に係合し、一対の釣合おもりガイドレール３間の距離を決めるゲージ１３と、複数の補助ゲージ１４１，１４２，１４３を有し、各レール取付具１２のそれぞれとゲージ１３とを複数の補助ゲージ１４１，１４２，１４３によって連結することにより、一対のレール取付具１２に対するゲージ１３の位置を決める連結装置１４とを有している。【選択図】図１
2016055932.tif 000002
【特許請求の範囲】
【請求項１】
昇降路内に配置された一対の第１のガイドレールに独立して着脱可能に取り付けられた一対のレール取付具、
前記昇降路内に配置された一対の第２のガイドレールに係合し、前記一対の第２のガイドレール間の距離を決めるゲージ、及び
複数の補助ゲージを有し、各前記レール取付具のそれぞれと前記ゲージとを複数の前記補助ゲージによって連結することにより、前記一対のレール取付具に対する前記ゲージの位置を決める連結装置
を備えているエレベータのガイドレール芯出し装置。
【請求項２】
各前記第１のガイドレールは、昇降体を案内する案内部を有し、
各前記レール取付具は、前記第１のガイドレールの前記案内部に取り付けられている請求項１に記載のエレベータのガイドレール芯出し装置。
【請求項３】
前記ゲージ及び前記レール取付具のそれぞれには、前記補助ゲージが回動自在に取り付けられている請求項１又は請求項２に記載のエレベータのガイドレール芯出し装置。
【請求項４】
芯出しがすでに完了している一対の第１のガイドレールに、互いに独立した一対のレール取付具を個別に取り付けるとともに、各前記レール取付具に複数の補助ゲージを介して連結されたゲージを、一対の第２のガイドレールに係合させることにより、前記一対の第２のガイドレールの芯出しを行うエレベータのガイドレール芯出し方法。
【発明の詳細な説明】
【技術分野】
【０００１】
この発明は、昇降路内に配置されたガイドレールの芯出しを行うエレベータのガイドレール芯出し装置、及びエレベータのガイドレール芯出し方法に関するものである。
【背景技術】
【０００２】
通常、エレベータでは、一対のかごガイドレール及び一対の釣合おもりガイドレールを昇降路内に設置するときに、かごガイドレール及び釣合おもりガイドレールのそれぞれを位置決めし、かつ鉛直に設置する芯出し作業が行われる。従来、互いに複数の連結体で連結された第１のゲージ及び第２のゲージのうち、第１のゲージを一対のかごガイドレールに係合させ、第２のゲージを一対の釣合おもりガイドレールに係合させて、かごガイドレール及び釣合おもりガイドレールの芯出し作業を行うガイドレール芯出し装置が知られている（特許文献１及び２参照）。
【先行技術文献】
【特許文献】
【０００３】
【特許文献１】特開２００２−３６２８５０号公報
【特許文献２】特開平８−９１７３２号公報
【発明の概要】
【発明が解決しようとする課題】
【０００４】
しかし、従来のエレベータのガイドレール芯出し装置では、一対のかごガイドレール間を繋ぐように第１のゲージを配置する必要があるので、第１のゲージが大形化してしまい、ガイドレール芯出し装置全体の重量が大きくなってしまう。また、第１のゲージが一対のかごガイドレール間の空間を横切って配置されるので、第１のゲージが芯出し作業の邪魔になってしまう。このようなことから、ガイドレールの芯出し作業に手間がかかってしまう。
【０００５】
この発明は、上記のような課題を解決するためになされたものであり、ガイドレールの芯出し作業の手間の軽減化を図ることができるエレベータのガイドレール芯出し装置、及びエレベータのガイドレール芯出し方法を得ることを目的とする。
【課題を解決するための手段】
【０００６】
この発明によるエレベータのガイドレール芯出し装置は、昇降路内に配置された一対の第１のガイドレールに独立して着脱可能に取り付けられた一対のレール取付具、昇降路内に配置された一対の第２のガイドレールに係合し、一対の第２のガイドレール間の距離を決めるゲージ、及び複数の補助ゲージを有し、各レール取付具のそれぞれとゲージとを複数の補助ゲージによって連結することにより、一対のレール取付具に対するゲージの位置を決める連結装置を備えている。
【０００７】
また、この発明によるエレベータのガイドレール芯出し方法は、芯出しがすでに完了している一対の第１のガイドレールに、互いに独立した一対のレール取付具を個別に取り付けるとともに、各レール取付具に複数の補助ゲージを介して連結されたゲージを、一対の第２のガイドレールに係合させることにより、一対の第２のガイドレールの芯出しを行う。
【発明の効果】
【０００８】
この発明によるエレベータのガイドレール芯出し装置、及びエレベータのガイドレール芯出し方法によれば、一対の第１のガイドレールに一対のレール取付具を独立して取り付けることから、各レール取付具が一対の第１のガイドレール間を横切ることを回避することができ、一対の第１のガイドレール間に作業スペースを確保することができるとともに、各レール取付具の小形化及び軽量化も図ることができる。これにより、ガイドレールの芯出し作業の手間の軽減化を図ることができる。
【図面の簡単な説明】
【０００９】
【図１】この発明の実施の形態１によるエレベータのガイドレール芯出し装置を示す平面図である。
【図２】図１のエレベータのガイドレール芯出し装置を示す斜視図である。
【図３】図１のＩＩＩ部を示す拡大平面図である。
【発明を実施するための形態】
【００１０】
以下、この発明の好適な実施の形態について図面を参照して説明する。
実施の形態１．
図１は、この発明の実施の形態１によるエレベータのガイドレール芯出し装置を示す平面図である。また、図２は、図１のエレベータのガイドレール芯出し装置を示す斜視図である。図において、昇降路１内には、一対のかごガイドレール２が第１のガイドレールとしてそれぞれ設置され、一対の釣合おもりガイドレール３が第２のガイドレールとしてそれぞれ設置されている。一対のかごガイドレール２は水平方向について互いに離して配置され、一対の釣合おもりガイドレール３も水平方向について互いに離して配置されている。昇降体であるかご（図示せず）は一対のかごガイドレール２間に昇降可能に配置され、昇降体である釣合おもり（図示せず）は一対の釣合おもりガイドレール３間に昇降可能に配置される。一対のかごガイドレール２間の距離は、一対の釣合おもりガイドレール３間の距離よりも大きくなっている。
【００１１】
各かごガイドレール２及び各釣合おもりガイドレール３は、フランジ部と、フランジ部から突出する案内部とを有している。各かごガイドレール２及び各釣合おもりガイドレール３のそれぞれの水平断面形状は、フランジ部及び案内部によってＴ字状になっている。かごは各かごガイドレール２のそれぞれの案内部に案内され、釣合おもりは各釣合おもりガイドレール３のそれぞれの案内部に案内される。各かごガイドレール２は、図２に示すように、複数の単位レール２ａを直線状に連結して構成されている。各釣合おもりガイドレール３は、複数の単位レール３ａを直線状に連結して構成されている。
【００１２】
各かごガイドレール２及び各釣合おもりガイドレール３のそれぞれは、昇降路１内の予め設定された位置に位置決めし、かつ鉛直に配置する芯出しが行われている。一対のかごガイドレール２の芯出しは、昇降路１内に鉛直に張られた２本のピアノ線を基準として、図示しないかごガイドレール用ゲージを用いて行われる。一対の釣合おもりガイドレール３の芯出しは、芯出しがすでに完了している一対のかごガイドレール２を基準として、ガイドレール芯出し装置１１を用いて行われる。芯出しが行われた各かごガイドレール２及び各釣合おもりガイドレール３は、複数の固定用ブラケット２１を介して昇降路１の内壁に固定される。
【００１３】
ガイドレール芯出し装置１１は、一対のかごガイドレール２に独立して着脱可能に取り付けられた一対のレール取付具１２と、一対の釣合おもりガイドレール３に係合することにより一対の釣合おもりガイドレール３間の距離を決めるゲージ１３と、複数（この例では、３つ）の棒状の補助ゲージ１４１，１４２，１４３を含み各レール取付具１２のそれぞれとゲージ１３とを複数の補助ゲージ１４１，１４２，１４３によって連結する連結装置１４とを有している。
【００１４】
各レール取付具１２は、各かごガイドレール２の案内部に個別に取り付けられている。各レール取付具１２が一対のかごガイドレール２に取り付けられている状態では、各レール取付具１２が互いに独立しているため、各レール取付具１２間に空間が存在している。
【００１５】
ここで、図３は、図１のＩＩＩ部を示す拡大平面図である。レール取付具１２は、取付具本体であるくわえ金１２１と、くわえ金１２１に設けられた締結具である蝶ボルト１２２とを有している。
【００１６】
くわえ金１２１には、かごガイドレール２の案内部が挿入される溝部１２３が設けられている。くわえ金１２１は、溝部１２３を挟んで互いに対向する一対の対向壁１２１ａ，１２１ｂを有している。一方の対向壁１２１ａには、ねじ孔１２４が、くわえ金１２１の外部から溝部１２３内に向けて貫通している。蝶ボルト１２２のねじ部は、ねじ孔１２４にねじ込まれている。溝部１２３の内面からの蝶ボルト１２２のねじ部の突出量は、蝶ボルト１２２を回すことにより調整可能になっている。
【００１７】
かごガイドレール２の案内部の側面と一方の対向壁１２１ａとの間の隙間には、かごガイドレール２の案内部を蝶ボルト１２２で傷付けることを防止するためのスペーサ１２５が挿入されている。蝶ボルト１２２は、スペーサ１２５を介してかごガイドレール２の案内部の側面を押圧している。レール取付具１２は、蝶ボルト１２２を締め付けて、かごガイドレール２の案内部を他方の対向壁１２１ｂと蝶ボルト１２２との間で把持することにより、かごガイドレール２に取り付けられている。
【００１８】
ゲージ１３は、図１に示すように、各釣合おもりガイドレール３のそれぞれの案内部に個別に係合する一対の係合板１３１と、一対の係合板１３１間を繋ぐゲージ本体１３２とを有している。一対の釣合おもりガイドレール３間の距離は、各係合板１３１を各釣合おもりガイドレール３の案内部に個別に係合させることにより一定の値に決まる。
【００１９】
各係合板１３１には、切欠部１３１ａが設けられている。各係合板１３１は、切欠部１３１ａを釣合おもりガイドレール３の案内部に嵌めた状態で釣合おもりガイドレール３の案内部と係合する。
【００２０】
連結装置１４は、各レール取付具１２のそれぞれとゲージ１３とを３つの補助ゲージ１４１，１４２，１４３で連結することにより、一対のレール取付具１２に対するゲージ１３の位置を決める。この例では、補助ゲージ１４１が一方のレール取付具１２とゲージ１３の一方の係合板１３１とを連結し、補助ゲージ１４２が他方のレール取付具１２とゲージ１３の一方の係合板１３１とを連結し、補助ゲージ１４３が他方のレール取付具１２とゲージ１３の他方の係合板１３１とを連結している。
【００２１】
一対のくわえ金１２１及び一対の係合板１３１には、補助ゲージ１４１，１４２，１４３がピン１５を介して取り付けられている。各くわえ金１２１及び各係合板１３１に取り付けられた補助ゲージ１４１，１４２，１４３は、ピン１５を中心に回動自在になっている。この例では、補助ゲージ１４１，１４２，１４３がピン１５の着脱により各くわえ金１２１及び各係合板１３１から着脱可能になっている。
【００２２】
各補助ゲージ１４１，１４２，１４３のそれぞれの長さは、一対のかごガイドレール２及び一対の釣合おもりガイドレール３のそれぞれが配置されるべき位置に基づいて、予め決められている。
【００２３】
次に、エレベータのガイドレール芯出し方法について説明する。まず昇降路１の上部に配置された上部板から２本のピアノ線を鉛直に吊り下げる。各ピアノ線は、建物に予め設定されている基準線に基づいた位置に鉛直に張られる。
【００２４】
この後、複数の単位レール２ａを下から上へ順次継ぎ合せながら各かごガイドレール２を組み立てて各かごガイドレール２を昇降路１内に配置する（第１ガイドレール配置工程）。この後、昇降路１内に配置された各かごガイドレール２の芯出しを行う。この場合、各かごガイドレール２を順次組み立てながら各かごガイドレール２の芯出しを順次行ってもよいし、各かごガイドレール２の組み立てがすべて完了してから各かごガイドレール２の芯出しを行ってもよい。また、この場合、単位レール２ａを継ぎ合せてかごガイドレール２を組み立てる作業、及び各かごガイドレール２の芯出しを行う作業は、工事用に設置された作業用巻上機の駆動力で上下方向へ移動される作業用かごの床１６に乗った作業者により行われる。
【００２５】
各かごガイドレール２の芯出しは、図示しないかごガイドレール用ゲージを用いて、各ピアノ線を基準に行われる。かごガイドレール用ゲージは、一対の係合板と、一対の係合板間を繋ぐゲージ本体とを有している。かごガイドレール用ゲージの各係合板には、ピアノ線がそれぞれ挿入される２つの基準溝と、かごガイドレール２の案内部が嵌る切欠部とが設けられている。一対のかごガイドレール２の芯出し作業では、かごガイドレール用ゲージの基準溝にピアノ線を挿入するとともに、かごガイドレール２の案内部にかごガイドレール用ゲージの切欠部を係合させる。これにより、２本のピアノ線に対する一対のかごガイドレール２の位置決めが行われ、一対のかごガイドレール２の芯出しが行われる。芯出しされた各かごガイドレール２は、固定用ブラケット２１により昇降路１内に固定される（第１レール芯出し工程）。
【００２６】
この後、複数の単位レール３ａを下から上へ順次継ぎ合せながら各釣合おもりガイドレール３を組み立てて各釣合おもりガイドレール３を昇降路１内に配置する（第２ガイドレール配置工程）。この後、昇降路１内に配置された各釣合おもりガイドレール３の芯出しを行う。この場合、各釣合おもりガイドレール３を順次組み立てながら各釣合おもりガイドレール３の芯出しを順次行ってもよいし、各釣合おもりガイドレール３の組み立てがすべて完了してから各釣合おもりガイドレール３の芯出しを行ってもよい。また、この場合、単位レール３ａを継ぎ合せて釣合おもりガイドレール３を組み立てる作業、及び各釣合おもりガイドレール３の芯出しを行う作業は、作業用かごの床１６に乗った作業者により行われる。
【００２７】
各釣合おもりガイドレール３の芯出しは、ガイドレール芯出し装置１１を用いて、芯出しがすでに完了している各かごガイドレール２を基準に行われる。各釣合おもりガイドレール３の芯出しを行うときには、まず、一対のレール取付具１２のそれぞれとゲージ１３とを複数の補助ゲージ１４１，１４２，１４３で連結した状態で、互いに独立した一対のレール取付具１２を各かごガイドレール２の案内部に個別に取り付けるとともに、各釣合おもりガイドレール３の案内部にゲージ１３の各係合板１３１の切欠部１３１ａを係合させる。これにより、一対のかごガイドレール２に対する一対の釣合おもりガイドレール３の位置決めが行われ、一対の釣合おもりガイドレール３の芯出しが行われる。このとき、作業用かごの床１６上では、作業者の作業スペース１７が各かごガイドレール２間に確保される。芯出しされた各釣合おもりガイドレール３は、固定用ブラケット２１により昇降路１内に固定される（第２レール芯出し工程）。
【００２８】
このようなガイドレール芯出し装置１１では、ゲージ１３に複数の補助ゲージ１４１，１４２，１４３を介して連結された一対のレール取付具１２が、一対のかごガイドレール２に独立して着脱可能になっているので、一対のかごガイドレール２間の空間を横切る従来のゲージをなくすことができ、一対のかごガイドレール２間に空間を残すことができる。これにより、一対のかごガイドレール２間に作業者の作業スペース１７を確保することができる。また、各レール取付具１２が一対のかごガイドレール２間の空間を横切らずに各かごガイドレール２に個別に取り付けられるので、一対のレール取付具１２を小形化することができる。これにより、ガイドレール芯出し装置１１の大幅な軽量化を図ることができ、ガイドレール芯出し装置１１の持ち運びを容易にすることができる。このようなことから、ガイドレールの芯出し作業の手間の軽減化を図ることができる。
【００２９】
また、レール取付具１２は、かごガイドレール２の案内部に取り付けられるので、レール取付具１２をかごガイドレール２に容易に取り付けることができる。また、かごガイドレール２の中で位置決めの精度の高い案内部にレール取付具１２を取り付けることができるので、かごガイドレール２に対するレール取付具１２の位置をより正確に決めることができ、かごガイドレール２に対する釣合おもりガイドレール３の位置決めをより正確に行うことができる。
【００３０】
また、ゲージ１３及びレール取付具１２のそれぞれには、補助ゲージ１４１，１４２，１４３が回転自在に取り付けられているので、ガイドレール芯出し装置１１を使用しないときには、補助ゲージ１４１，１４２，１４３を回動させてガイドレール芯出し装置１１を折りたたむことができる。これにより、ガイドレール芯出し装置１１の例えば運搬及び保管等の取扱いを容易にすることができる。
【００３１】
また、このようなガイドレール芯出し方法では、芯出しがすでに完了している一対のかごガイドレール２に、互いに独立した一対のレール取付具１２を個別に取り付けるとともに、一対の釣合おもりガイドレール３にゲージ１３を係合させることにより一対の釣合おもりガイドレール３の芯出しを行うので、一対のレール取付具１２を小形化することができ、ガイドレール芯出し装置１１の大幅な軽量化を図ることができる。これにより、ガイドレール芯出し装置１１の取扱いを容易にすることができる。また、一対のレール取付具１２が互いに独立していることから、釣合おもりガイドレール３の芯出しを行うときに一対のかごガイドレール２間に作業スペース１７を確保することができる。このようなことから、ガイドレールの芯出し作業の手間の軽減化を図ることができる。
【００３２】
なお、上記の例では、エレベータの据付時でのガイドレールの芯出し作業にこの発明が適用されているが、これに限定されず、エレベータの改修時でのガイドレールの芯出し作業にこの発明を適用してもよい。例えば、芯出しがすでに完了している一対のかごガイドレールが昇降路内に設置された油圧式のエレベータを、かご及び釣合おもりをロープで吊り下げるロープ吊り下げ式のエレベータに改修する場合で、昇降路内に一対の釣合おもりガイドレールを新たに設置するときの作業にこの発明を適用してもよい。
【００３３】
また、上記の例では、レール取付具１２の締結具として蝶ボルト１２２が用いられているが、これに限定されず、例えば六角穴付きボルト又は通常の六角ボルト等を締結具として用いてもよい。
【００３４】
また、上記の例では、各補助ゲージ１４１，１４２，１４３のそれぞれの長さが調整不可能になっているが、各補助ゲージ１４１，１４２，１４３のそれぞれの長さを調整可能な構造としてもよい。例えば、ねじ穴がそれぞれ設けられた一対の筒状部と、一対の筒状部を繋ぐねじ棒とにより各補助ゲージを構成し、ねじ棒を回しながら一対の筒状部間の距離を調整して各補助ゲージの長さを変えるようにしてもよい。このようにすれば、一対のかごガイドレール２間の距離が異なるエレベータであっても、同じガイドレール芯出し装置１１を用いることができる。
【符号の説明】
【００３５】
１  昇降路、２  かごガイドレール（第１のガイドレール）、３  釣合おもりガイドレール（第２のガイドレール）、１１  ガイドレール芯出し装置、１２  レール取付具、１３  ゲージ、１４  連結装置、１４１，１４２，１４３  補助ゲージ。
【図１】
2016055932.tif 000003
【図２】
2016055932.tif 000004
【図３】
2016055932.tif 000005